(57)【要約】【課題】従来のウルトラファインバブル発生装置では、問題点として水の流れが複雑な流路構造により阻害され、流速が低下し、十分な真空キャビテーションを得ることができず、極微細な気泡を得ることができない事である。さらに問題点は、従来のメカニズムでは、より直径の極微少な気泡の発生のためにはより高圧なポンプが必要であり全体装置が高価になることである。【解決手段】入り口から加圧した水を通過させる管路を出口まで構成し、管路入り口付近に絞り傾斜面を持たせ、出口付近に拡大傾斜面を持たせ、中央部に２つの翼型断面を持つ２つの翼型を、各翼型の中心線が管路中心線に対して異なる角度がつくように配置し、流速を増大させ、２つの翼周りに、真空キャビテーションを連続的に惹起させ、水に溶解している気体を極微細気泡として発生させる事を特徴とするウルトラファインバブル発生装置を構成することにより、有益な極微細な気泡を効率よく安価に発生させる事が可能となる。【選択図】図１
2019162605.tif 000002
【特許請求の範囲】
【請求項１】
入り口から加圧した水等の流体を通過させる管路を出口まで構成し、管路流入口付近に絞り傾斜面を持たせ、管路流出口付近に拡大傾斜面を持たせ、中央部に２つの翼型断面を持つ２つの翼型を互いに流れに水平方向から、適切な角度をそれぞれ反対方向に回転させて配置し、２つの翼型周りに、真空キャビテーションを連続的に惹起させ、水等に溶解している気体を微細気泡として発生させる事を特徴とするウルトラファインバブル発生装置。
【発明の詳細な説明】
【技術分野】
【０００１】  本発明は、ウルトラファインバブル発生装置において、極微細な気泡を効率よく大量に発生させる装置に関するものである。
【背景技術】
【０００２】  従来のウルトラファインバブル発生装置は流体が流れる構造が複雑で、極微細な気泡を発生させるための真空キャビテーションを得るためには、大きな動力による、大きな流体圧力の投入が必要であり、容易にはできないという欠点があった。【０００３】  従来のウルトラファインバブル発生装置は発生する泡の直径が大きく有効な機能を発揮する機能性気泡が十分には得られないという欠点があった。【０００４】  従来のウルトラファインバブル発生装置は液体の流路における流体抵抗が大きく、流量が低下し、十分な量のウルトラファインバブルを含んだ流体を得ることができない欠点があった。
【先行技術文献】
【特許文献】
【０００５】
【特許文献】特開２０１４−２３１０４６号公報
【発明の概要】
【発明が解決しようとする課題】
【０００６】  解決しようとする問題点は、従来のウルトラファインバブル発生装置では、流体の流れが複雑な流路構造により阻害され、流速が低下し、十分な真空キャビテーションを得ることができず、極微細な気泡を得ることができない事である。【０００７】  さらに解決しようとする問題点は、従来のメカニズムではより直径の極微少な気泡の発生のためには、より高圧なポンプが必要であり全体装置が高価になることである。
【課題を解決するための手段】
【０００８】  本体１に流体の入り口２、出口３を設け、入り口２と出口３の間に管路４を設ける。管路４の流入口５には絞り傾斜面６を設ける。管路４の流出口１５には拡大傾斜面７を設ける。管路４の中央付近にＡ翼型８およびＢ翼型９を横断的に配置する。Ａ翼型８は管路中心線１０に対してＡ翼型中心線１１が正面から見て時計方向に回転させた位置に固定し、Ｂ翼型９は管路中心線１０に対してＢ翼型中心線１２が正面から見て反時計方向に回転させた位置に配置する。それぞれＡ翼型８、Ｂ翼型９は取り付けボルト１３で本体１に固定する。Ａ翼型８，Ｂ翼型９はそれぞれのＯリング１４により気密が保たれる。
【発明の効果】
【０００９】  本発明のウルトラファインバブル発生装置２０は、構造が簡単で、安価に製作が可能で、低い流体圧力、少ない動力でも、直径が極微少で機能性に優れたウルトラファインバブルを高濃度で発生させることができるという効果がある。
【図面の簡単な説明】
【００１０】
【図１】図１は本発明のウルトラファインバブル発生装置２０の断面を示した説明図である。
【図２】図２は本発明のウルトラファインバブル発生装置２０のパート組立三次元図である。
【図３】図３は本発明のウルトラファインバブル発生装置２０の二次元図面で正面断面図、背面図、側面断面図ある。
【図４】図４は本発明のウルトラファインバブル発生装置２０に組み込まれるＡ翼型８の三次元図面である。
【図５】図５は本発明のウルトラファインバブル発生装置２０に組み込まれるＢ翼型９の三次元図面である。
【発明を実施するための形態】
【００１１】  本発明は管路４を設けた本体１の中央部の背面および正面からＡ翼型８、およびＢ翼型９を管路４中央で、互いに管路中心線１０に対し正面から見てＡ翼型中心線１１は時計回転方向に、Ｂ翼型中心線１２を反時計回転方向に、適切な角度分回転させて配置し、中央で繋ぐ構造とし、入り口２から高圧の流体を流入させ、出口３から流出させる形態を持つ。
【実施例１】
【００１２】  本発明の構成は本体１に入り口２，出口３を結ぶ管路４を設ける。管路４の流入口５付近に、絞り傾斜面６を設け、流出口１５付近に拡大傾斜面７を設ける。管路４の中央付近にＡ翼型８およびＢ翼型９を、Ａ翼型中心線１１およびＢ翼型中心線１２が管路中心線１０に対し、適切な角度が付く様に配置して固定する。【００１３】  本発明の作用は、入り口２から流入した流体が、本体１の管路の流入口５付近に設けられた絞り傾斜面６により加速され、Ａ翼型８およびＢ翼型９により整流スピン加速され、超強力な真空キャビテーションを惹起させる。この真空キャビテーションは、流体中に溶解した気体成分を、極微細な気泡に変化させ、有用な極微細気泡混合流体を惹起させる。その後流出口１５付近に設けられた拡大傾斜面７で減速し、極小の管路抵抗で出口３へ向かう。【００１４】  本発明の効果は、絞り傾斜面６で加速された流体が角度の違ったＡ翼型８およびＢ翼型９により整流スピン加速される。このため管路抵抗が激減し、流速が大きくなり、それに伴う真空キャビテーションは高レベルに到達する。管路４形状、Ａ翼型８の形状、Ｂ翼型９の形状、各Ａ翼型８とＢ翼型９間の角度設定などを、最適コンピューター流体解析を行うことによって、大きな真空キャビテーションが得られる様に決定することができる。その結果、管路４内部で真空キャビテーションの衝撃的な発生と消滅を惹起し、極微細なウルトラファインバブルを発生させることができる。
【産業上の利用可能性】
【００１５】  本発明で発生させたウルトラファインバブルは以下のような有用効果を期待できる。
１．洗浄効果
２．工具の長寿命化
３．養殖の収量増加
４．穀物・野菜・果物等の収量増加
５．殺菌効果
６．生体活性化
７．流体抵抗の低減
【符号の説明】
【００１６】１    本体
２    入り口
３    出口
４    管路
５    流入口
６    絞り傾斜面
７    拡大傾斜面
８    Ａ翼型
９    Ｂ翼型
１０  管路中心線
１１  Ａ翼型中心線
１２  Ｂ翼型中心線
１３  取り付けボルト
１４  Ｏリング
１５  流出口
１６  欠番
１７  欠番
１８  欠番
１９  欠番
２０  ウルトラファインバブル発生装置
【図１】
2019162605.tif 000003
【図２】
2019162605.tif 000004
【図３】
2019162605.tif 000005
【図４】
2019162605.tif 000006
【図５】
2019162605.tif 000007
【手続補正書】
【提出日】平成31年3月16日(2019.3.16)
【手続補正１】
【補正対象書類名】特許請求の範囲
【補正対象項目名】全文
【補正方法】変更
【補正の内容】
【特許請求の範囲】
【請求項１】
入り口から加圧した水を通過させる管路を出口まで構成し、管路流入口付近に絞り傾斜面を持たせ、管路流出口付近に拡大傾斜面を持たせ、中央部に２つの翼型断面を持つ２つの翼型を、各翼型の中心線が管路中心線に対して異なる角度がつくように配置し、流速を増大させ、２つの翼型周りに、真空キャビテーションを連続的に惹起させ、水に溶解している気体を微細気泡として発生させる事を特徴とするウルトラファインバブル発生装置。
【手続補正２】
【補正対象書類名】明細書
【補正対象項目名】全文
【補正方法】変更
【補正の内容】
【発明の詳細な説明】
【技術分野】
【０００１】  本発明は、ウルトラファインバブル発生装置において、極微細な気泡を効率よく大量に発生させる装置に関するものである。
【背景技術】
【０００２】  従来のウルトラファインバブル発生装置は水が流れる構造が複雑で、極微細な気泡を発生させるための真空キャビテーションを得るためには、大きな動力による、大きな水圧力の投入が必要であり、容易にはできないという欠点があった。【０００３】  従来のウルトラファインバブル発生装置は発生する泡の直径が大きく有効な機能を発揮する機能性気泡が十分には得られないという欠点があった。【０００４】  従来のウルトラファインバブル発生装置は液体の流路における水の抵抗が大きく、流量が低下し、十分な量のウルトラファインバブルを含んだ水を得ることができない欠点があった。
【先行技術文献】
【特許文献】
【０００５】
【特許文献】特開２０１４−２３１０４６号公報
【発明の概要】
【発明が解決しようとする課題】
【０００６】  解決しようとする問題点は、従来のウルトラファインバブル発生装置では、水の流れが複雑な流路構造により阻害され、流速が低下し、十分な真空キャビテーションを得ることができず、極微細な気泡を得ることができない事である。【０００７】  さらに解決しようとする問題点は、従来のメカニズムではより直径の極微少な気泡の発生のためには、より高圧なポンプが必要であり全体装置が高価になることである。
【課題を解決するための手段】
【０００８】コンピューター流体・構造解析に基いた設計に従い、本体１に水の入り口２、出口３を設け、入り口２と出口３の間に管路４を設ける。管路４の流入口５には絞り傾斜面６を設ける。管路４の流出口１５には拡大傾斜面７を設ける。管路４の中央付近にＡ翼型８およびＢ翼型９を、それぞれＡ翼翼型の中心線１１，Ｂ翼型の中心線１２が管路中心線１０に対して異なる角度がつくように配置する。それぞれＡ翼型８、Ｂ翼型９は取り付けボルト１３で本体１に固定する。Ａ翼型８，Ｂ翼型９はそれぞれのＯリング１４により気密が保たれる。
【発明の効果】
【０００９】        本発明のウルトラファインバブル発生装置２０は、構造が簡単で、安価に製作が可能で、低い水圧力、少ない動力でも、直径が極微少で機能性に優れたウルトラファインバブルを高濃度で発生させることができるという効果がある。
【図面の簡単な説明】
【００１０】
【図１】図１は本発明のウルトラファインバブル発生装置２０の断面を示した説明図である。
【図２】図２は本発明のウルトラファインバブル発生装置２０のパート組立三次元図である。
【図３】図３は本発明のウルトラファインバブル発生装置２０の二次元図面で正面断面図、背面図、側面断面図ある。
【図４】図４は本発明のウルトラファインバブル発生装置２０に組み込まれるＡ翼型８の三次元図面である。
【図５】図５は本発明のウルトラファインバブル発生装置２０に組み込まれるＢ翼型９の三次元図面である。
【発明を実施するための形態】
【００１１】  本発明は管路４を設けた本体１の中央部の背面および正面からＡ翼型８、およびＢ翼型９を管路４中央で、互いに管路中心線１０に対し正面から見てＡ翼型中心線１１は時計回転方向に、Ｂ翼型中心線１２を反時計回転方向に、適切な角度分回転させて配置し、中央で繋ぐ構造とし、入り口２から高圧の水を流入させ、出口３から流出させる形態を持つ。
【実施例１】
【００１２】  本発明の構成は本体１に入り口２，出口３を結ぶ管路４を設ける。管路４の流入口５付近に、絞り傾斜面６を設け、流出口１５付近に拡大傾斜面７を設ける。管路４の中央付近にＡ翼型８およびＢ翼型９を、Ａ翼型中心線１１およびＢ翼型中心線１２が管路中心線１０に対し、適切な角度が付く様に配置して固定する。【００１３】  本発明の作用は、入り口２から流入した水が、本体１の管路の流入口５付近に設けられた絞り傾斜面６により加速され、Ａ翼型８およびＢ翼型９により整流スピン加速され、超強力な真空キャビテーションを惹起させる。この真空キャビテーションは、水中に溶解した気体成分を、極微細な気泡に変化させ、有用な極微細気泡混合水を惹起させる。その後流出口１５付近に設けられた拡大傾斜面７で減速し、極小の管路抵抗で出口３へ向かう。【００１４】  本発明の効果は、絞り傾斜面６で加速された水が角度の違ったＡ翼型８およびＢ翼型９により整流スピン加速される。このため管路抵抗が激減し、流速が大きくなり、それに伴う真空キャビテーションは高レベルに到達する。管路４形状、Ａ翼型８の形状、Ｂ翼型９の形状、各Ａ翼型８とＢ翼型９間の角度設定などを、最適コンピューター流体解析を行うことによって、大きな真空キャビテーションが得られる様に決定することができる。その結果、管路４内部で真空キャビテーションの衝撃的な発生と消滅を惹起し、極微細なウルトラファインバブルを発生させることができる。
【産業上の利用可能性】
【００１５】  本発明で発生させたウルトラファインバブルは以下のような有用効果を期待できる。
１．  洗浄効果
２．  工具の長寿命化
３．  養殖の収量増加
４．  穀物・野菜・果物等の収量増加
５．  殺菌効果
６．  生体活性化
７．  流体抵抗の低減
【符号の説明】
【００１６】１    本体
２    入り口
３    出口
４    管路
５    流入口
６    絞り傾斜面
７    拡大傾斜面
８    Ａ翼型
９    Ｂ翼型
１０  管路中心線
１１  Ａ翼型中心線
１２  Ｂ翼型中心線
１３  取り付けボルト
１４  Ｏリング
１５  流出口
１６  欠番
１７  欠番
１８  欠番
１９  欠番
２０  ウルトラファインバブル発生装置